(57)【要約】【課題】  かびや悪臭が発生しにくい傘立ての提供である。【解決手段】  上下が開口した円筒状の傘立て本体１の下部に、立体形状が逆正円錐状になるように底板部２を形成して、その逆頂部Ｔに雨水落下孔３を設け、雨水落下孔３の周縁部から３本の支持棒４を立設させて前記雨水落下孔３を覆う形態で略半球状の滑落体５を取付け、前記底板部２の傾斜錐面２ａと前記滑落体５の下縁部５ａとの間に所定高さの排水孔７を全周に亘って形成し、傘立て本体１に差し込まれた傘Ｕに付着した雨水Ｗが、前記排水孔７から雨水落下孔３を通って底板部２の直下に配置された水受け皿８に収容されるようにすると共に、傘立て本体１に差し込まれた傘Ｕの石突き部６が、底板部２又は滑落体５のどの位置に当接されても前記底板部２又は前記滑落体５を滑り落ち、滑落体５の下端外周縁部（排水孔７の近傍位置）で停止させて、複数本の傘Ｕが平面視において放射状に配置されるようにする。【選択図】        図２
2006230872.tif 000002
【特許請求の範囲】
【請求項１】
傘立て本体と、その底板部の直下に配置されて、前記傘立て本体に差し込まれた傘から滴下する雨水を収容する水受けとを備えた傘立てであって、
前記底板部は、傘立て本体の平面形状に対応した逆円錐状又は逆多角錐状、或いはこれらに近似した逆錐体状をなし、その逆頂部が前記底板部を伝って水受けに収容される雨水の排水孔となっていることを特徴とする傘立て。
【請求項２】
前記排水孔は、底板部の逆頂部に形成された開口の周縁部と、該開口の内側に配置されて、傘の先端を滑落させ得る形状の滑落体の外周縁とで形成された環状の孔であることを特徴とする請求項１に記載の傘立て。
【請求項３】
前記底板部は、逆正円錐状又は逆正多角錐状であって、前記排水孔は、傘立て本体の平面形状の略中央部に配置された構成であることを特徴とする請求項１又は２に記載の傘立て。
【発明の詳細な説明】
【技術分野】
【０００１】
本発明は、傘立て本体と、その底板部の直下に配置されて、前記傘立て本体に差し込まれた傘から滴下する雨水を収容する水受けとを備えた傘立てに関するものである。
【背景技術】
【０００２】
傘を起立状態で保持するために、上面が開口した筒状の傘立てが存している。該傘立てに濡れた傘が差し込まれると、傘に付着した雨水はそのまま滴下して、傘立ての底板部に溜まる。このため、傘立ての底板部は常に高湿状態となっていて、かびが生え易くなり、傘立てに差し込まれた傘が汚損したり、悪臭が発生したりするという不具合が生じる。また、傘立ての底部に溜まった雨水の廃棄処理もしにくい。
【０００３】
上記した不具合を防止するため、底板を斜めに設けると共に、前記底板と傘立て本体との間に雨水を通過可能な隙間を設けた傘立てが存している（例えば、特許文献１参照）。図１２の（イ）,(ロ）に示されるように、従来の傘立てＡ’の底板部５１は一方向にのみ傾斜されていて、雨水を通すための排水孔５２は、傘立て本体５３のほぼ全長に亘って形成されている。このため、前記排水孔５２の全長に亘って水受け皿５４を配置させなければならず、水受け皿５４の設計の自由度が低い。この結果、傘立て本体５３の形状も制限されてしまう。更に、傘Ｕの石突き部５５が、前記排水孔５２に入り込んで抜けにくくなるという不具合も生じ易い。
【０００４】
また、複数本の傘Ｕが差し込まれた場合、各傘Ｕが重なって配置される。これにより、各傘Ｕと底板部５１との間の空間部Ｑ’が閉塞されてしまい、当該空間部Ｑ’に存する高湿空気が逃げにくくなり、濡れた傘Ｕの乾きが遅くなる。更に、濡れた傘Ｕと濡れていない傘Ｕとが差し込まれた場合、両者が重なり合うことにより、濡れていない傘Ｕまでも濡れてしまうおそれがある。
【特許文献１】特開平８−２３８１６１号公報
【発明の開示】
【発明が解決しようとする課題】
【０００５】
本発明は、濡れた傘から滴下した雨水によって、底板部にかびや悪臭が発生しにくい傘立てを提供することを課題としている。
【課題を解決するための手段】
【０００６】
上記課題を解決するための請求項１の発明は、傘立て本体と、その底板部の直下に配置されて、前記傘立て本体に差し込まれた傘から滴下する雨水を収容する水受けとを備えた傘立てであって、前記底板部は、傘立て本体の平面形状に対応した逆円錐状又は逆多角錐状、或いはこれらに近似した逆錐体状をなし、その逆頂部が前記底板部を伝って水受けに収容される雨水の排水孔となっていることを特徴としている。
【０００７】
折り畳まれた傘が、傘立て本体に無造作に差し込まれる。折り畳まれた傘の先端部（石突き部）は、底板部に当接した後、その内側の傾斜錐面を滑り、前記底板部の最も低い排水孔の部分に配置される。この状態で、差し込まれた複数本の傘の上部（柄の部分）を、傘立て本体の上端部内側の異なる位置に配置させれば、各傘は、傘立て本体内で相互に重なり合うことなく傾斜姿勢となり、平面視において放射状に配置される。このため、複数本の傘が差し込まれても、傘立てが安定する。各傘に付着した雨水のうち落下して滴下するものは、逆円錐状又は逆多角錐状をした底板部の内側の傾斜錐面の異なる部分を伝って、前記底板部の立体形状の逆頂部の１箇所のみに形成された排水孔から直下の水受けに収容されるため、傘に付着した雨水の滴下が速やかになる。この結果、底板部に雨水が溜まって悪臭が発生したり、かびが生えたりすることが防止される。
【０００８】
傘立て本体の平面形状によっては、その底板部の全体に対して水受けを挿脱可能に配置できない場合もあるが、底板部には、その立体形状の逆頂部の１箇所のみに排水孔が形成された形状であるので、少なくとも排水孔の直下に水受けが存在すれば足りる。このため、水受けの平面形状の自由度が高まる。この点、１枚の平板体を傾斜配置したり、或いは２枚の平板体を断面Ｖ字状となるように傾斜配置することにより傘立て本体の底板部を構成して、直線状の長い排水孔を形成した場合には、排水孔の長さに対応した長さを有する水受けを設置する必要があるのと大きく異なる。
【０００９】
請求項２の発明は、請求項１の発明を前提として、前記排水孔は、底板部の逆頂部に形成された開口の周縁部と、該開口の内側に配置されて、傘の先端を滑落させ得る形状の滑落体の外周縁とで形成された環状の孔であることを特徴としている。請求項２の発明によれば、排水孔は周方向に沿った連続孔となるため、排水性が高くなる。また、差し込まれた傘の石突き部が、滑落体の周囲に自然配置されるため、平面視において多数本の傘が放射配置され易くなって、放射配置による効果が一層奏され易くなる。既に複数本の傘が差し込まれていて、後に差し込まれた傘の石突き部が仮に滑落体の上面に当接しても、傘を伝って滴下する雨水は、滑落体の上面に達した後、そのまま滑落体の外周縁部まで流れて排水孔から排水される。従って、傘の石突き部が、滑落体を含めて底板部のどの位置に当接しても、傘に付着している雨水は、傘から滴下した後、排水孔を通ってスムーズに排水される。
【００１０】
請求項３の発明は、請求項１又は２の発明を前提として、前記底板部は、逆正円錐状又は逆正多角錐状であって、前記排水孔は、傘立て本体の平面形状の略中央部に配置された構成であることを特徴としている。請求項３の発明によれば、前記底板部が傘立て本体の略中央部に配置されているため、差し込まれた複数本の傘が、より放射状に配置され易くなり、請求項１の作用効果が一層顕著に奏される。
【発明の効果】
【００１１】
本発明に係る傘立ては、傘立て本体と、その底板部の直下に配置されて、前記傘立て本体に差し込まれた傘から滴下する雨水を収容する水受けとを備えた傘立てであって、前記底板部は、傘立て本体の平面形状に対応した逆円錐状又は逆多角錐状、或いはこれらに近似した逆錐体状をなし、その逆頂部が前記底板部を伝って水受けに収容される雨水の排水孔となっていることを特徴としている。差し込まれた傘から滴下した雨水が、底板部の傾斜錐面をスムーズに流下して、前記底板部の逆頂部に設けられた排水孔から排水され易くなるため、かびや悪臭が発生することが防止される。
【発明を実施するための最良の形態】
【００１２】
以下、本発明の最良実施例を挙げて、本発明を更に詳細に説明する。図１は第１実施例の傘立てＡ1 の全体斜視図、図２は傘立てＡ1 の下部の側面断面図、図３の（イ）は傘立てＡ1 の平面図、同じく（ロ）は図２のＸ−Ｘ線断面図、図４の（イ）は、傘立てＡ1 に複数本の傘Ｕが放射状に配置された状態の平面図であり、同じく（ロ）は（イ）の正面断面図である。
【実施例１】
【００１３】
図１ないし図３に示されるように、第１実施例の傘立てＡ1 は、樹脂、金属、木等より成り、上下の各面が開口した円筒状の傘立て本体１の下部の内側部分で、平面視におけるほぼ中央部に、立体形状が逆正円錐状（すり鉢状）となる底板部２が設けられた形態である。前記底板部２の最下端部（逆頂部Ｔ）には、円形の雨水落下孔３が設けられている。そして、前記雨水落下孔３の周縁部には、複数本（本実施例の場合、３本）の支持棒４が周方向に等間隔をおいて立設されていて、各支持棒４に滑落体５が固着されている。本実施例の滑落体５は、前記雨水落下孔３を覆うべく雨水落下孔３の半径よりも大きな半径を有する略半球の椀状となっていて、滑落体５の球面部分を上方にして取付けられている。このため、傘立て本体１に差し込まれた傘Ｕの先端部（石突き部６）は、前記滑落体５に当接し、傘Ｕの石突き部６が前記雨水落下孔３に入り込むおそれは少ない。そして、滑落体５の下縁部５ａと底板部２の上面（傾斜錐面２ａ）との間には、全周に亘って所定高さの隙間が環状に形成されていて、該隙間が、差し込まれた傘Ｕから滴下される雨水Ｗを通すための排水孔７となっている。前記排水孔７が、滑落体５の下縁部５ａの全周に亘って形成されているため、雨水Ｗが速やかに流下されると共に、前記雨水Ｗと一緒に砂や泥が落下しても排水孔７が詰まりにくい。また、前記排水孔７の高さは、傘立て本体１に差し込まれて、前記滑落体５の下端外周縁部と傘立て本体１の上端縁部とで支持された傘Ｕの石突き部６が、余裕を有して底板部２の雨水落下孔３に臨まないような寸法である。従って、傘Ｕを立てた際の傾斜角が大きい程、前記排水孔７の高さを高くできて、排水孔７の総面積が大きくなり、排水性が良好になると共に、該排水孔７に異物が詰まるのを抑制できる効果も高まる。
【００１４】
図１及び図２に示されるように、傘立て本体１の下部には、周方向に所定幅の開口部１ａが設けられている。そして、前記底板部２の直下には、傘立て本体１の平面形状に対応する水受け皿８が配置されている。即ち、図３の（ロ）に示されるように、水受け皿８の周壁部のうち手前側の周壁部８ａと奥側の周壁部８ｂは、平面視において、傘立て本体１の内径に対応する円弧状になっていると共に、両側の周壁部８ｃは、開口部１ａの幅よりも少し短い幅で平行な直線状になっている。また、水受け皿８の高さは、前記開口部１ａの高さよりも少し低い。このため、水受け皿８を、開口部１ａを介して傘立て本体１に挿脱させることができる。傘立て本体１に挿入された水受け皿８は、奥側の部分が傘立て本体１の内周面に当接して停止される。このとき、底板部２の逆頂部Ｔに設けられた雨水落下孔３の直下に水受け皿８が配置される。図２に示されるように、傘Ｕから滴下した雨水Ｗは、底板部２の傾斜錐面２ａを伝って排水孔７を通り、雨水落下孔３を介して水受け皿８に落下して収容される。
【００１５】
水受け皿８の手前側の周壁部８ａには、該水受け皿８を挿脱するための把手９が取付けられている。更に、前記手前側の周壁部８ａの側方端部には、排水ホース１１が取付けられている。該排水ホース１１は、水受け皿８の内側部分（雨水Ｗの収容部分）と連通されているため、水受け皿８に収容された雨水Ｗは、排水ホース１１を介して自然排水される。
【００１６】
第１実施例の傘立てＡ1 の作用について説明する。図２の図面視における左側に示されるように、傘立て本体１に無造作に差し込まれた傘Ｕの石突き部６が底板部２に当接する。その状態を、図２において一点鎖線で示す。傘Ｕに付着した雨水Ｗのうち落下して滴下するものは、前記石突き部６から底板部２の傾斜錐面２ａに滴下される。そして、前記傾斜錐面２ａを伝って流下し、排水孔７を通って雨水落下孔３から落下して水受け皿８に収容される。上記した雨水Ｗの流下作用と同時に、差し込まれた傘Ｕの石突き部６は、底板部２の傾斜錐面２ａを滑り、滑落体５に当接して停止し、滑落体５の下縁部５ａと底板部２における前記下縁部５ａと対向する部分の間（排水孔７の直前の位置）で支持される。その状態を、図２において二点鎖線で示す。
【００１７】
また、図２の図面視における右側に一点鎖線で示されるように、差し込まれた傘Ｕの石突き部６が、仮に滑落体５に当接したとしても、該滑落体５が半球状であるため、前記石突き部６は滑落体５の周縁に滑り落ちる。そして、上記と同様に、差し込まれた傘Ｕの石突き部６は、排水孔７の直前の位置で支持される。その状態を、図２において二点鎖線で示す。傘Ｕに付着した雨水Ｗは、前記滑落体５を滑り落ち、排水孔７を通って雨水落下孔３から落下して水受け皿８に収容される。
【００１８】
上記した結果、傘立て本体１に差し込まれた傘Ｕの石突き部６が、滑落体５を含めて底板部２のどの位置に当接しても、傘Ｕに付着している雨水Ｗは、傘Ｕから滴下された後、スムーズに排水孔７を通って水受け皿８に収容される。これにより、雨水Ｗが底板部２に残存しにくくなり、傘立て本体１の内側にかびが生えたり、悪臭が発生したりすることが防止できる。
【００１９】
そして、図４に示されるように、前記傘立て本体１に複数本の傘Ｕが差し込まれて、各傘Ｕの石突き部６が、滑落体５を含めて底板部２のどの位置に当接した場合であっても、各傘Ｕは上記した作用により、滑落体５の周囲に放射状に配置される。このため、濡れた傘Ｕが差し込まれた場合であっても、各傘Ｕから滴下した雨水Ｗは、各傘Ｕの石突き部６に対応する底板部２の傾斜錐面２ａの異なる部分を伝って、排水孔７から水受け皿８に収容される。これにより、各傘Ｕに付着した雨水Ｗの滴下が速やかとなる。そして、各傘Ｕと底板部２との間の空間部Ｑが閉塞されにくくなり、当該空間部Ｑに存する高湿空気が逃げ易くなって、濡れた傘Ｕの乾きが速くなる。また、濡れた傘Ｕと濡れていない傘Ｕが同時に差し込まれた場合であっても、両者が接触するおそれが少なくなり、前記濡れていない傘Ｕが濡れにくくなる。なお、底板部２における雨水落下孔３の周縁部は、前記底板部２における他の部分よりも傾斜を緩やかにして、傘Ｕが斜めに差し込まれた場合であっても、傘Ｕの石突き部６が排水孔７に入り込まないようにすることが好ましい。
【００２０】
前記水受け皿８に収容された雨水Ｗは、該水受け皿８を引き出すことにより、容易に廃棄することができる。また、水受け皿８の清掃も容易である。更に、前記水受け皿８に排水ホース１１が取付けられている場合、雨水Ｗを自然排水させることができるため、雨水Ｗの廃棄が更に容易になる。
【００２１】
第１実施例の傘立てＡ1 の場合、底板部２の立体形状が逆正円錐状となっていて、平面視における前記底板部２のほぼ中央部に逆頂部Ｔが設けられており、底板部２又は滑落体５に滴下した雨水Ｗは、前記逆頂部Ｔの１箇所のみに設けられた排水孔７を通り、雨水落下孔３を介して水受け皿８に落下して収容される構成である。このため、水受け皿８は、前記逆頂部Ｔの直下に配置させれば足り、該水受け皿８の平面形状の自由度が高まる。この点、図１２に示される従来の傘立てＡ’のように、１枚の平板体を傾斜配置したり、或いは２枚の平板体を断面Ｖ字状になるように傾斜配置したりすることにより傘立て本体５３の底板部５１を構成して、直線状の長い排水孔５２を形成した場合には、排水孔５２の長さに対応した水受け皿５４を設置する必要があるのと大きく異なっている。
【実施例２】
【００２２】
第１実施例の傘立てＡ1 は、傘立て本体１が円筒の場合であるが、第２実施例の傘立てＡ2 は、傘立て本体１２が四角筒の場合である。図５の（イ）に示されるように、第２実施例の傘立てＡ2 の場合、底板部１３は、傘立て本体１２に対応して逆四角錐状に形成されていて、その逆頂部Ｔは、平面視におけるほぼ中央部に設けられている。第１実施例の傘立てＡ1 と同様に、前記逆頂部Ｔに雨水落下孔３（図２参照）が設けられていて、該雨水落下孔３を覆う形態で滑落体１４が取付けられていて、その下縁部と底板部１３との間に排水孔１５が全周に亘って設けられている。第２実施例の滑落体１４は、四角筒状の傘立て本体１２に対応して、略四角錐状である。そして、図５の（ロ）に示されるように、滑落体１４の頂部１４ａは、差し込まれる傘Ｕの石突き部６を保護するためにわん曲されている。第２実施例の傘立てＡ2 の場合であっても、傘立て本体１２に差し込まれた複数本の傘Ｕの石突き部６が、前記滑落体１４を含む底板部１３のどの位置に当接しても滑落体１４の周囲に放射状に配置され、各傘Ｕから滴下した雨水Ｗが底板部１３又は滑落体１４を流下し、排水孔１５を通って水受け皿１６に収容されること、及び前記水受け皿１６を少なくとも逆頂部Ｔの直下に配置させれば足りることは、第１実施例の傘立てＡ1 の場合と同様である。
【実施例３】
【００２３】
また、図６に示される第３実施例の傘立てＡ3 のように、傘立て本体１７が三角筒状であっても構わない。第３実施例の傘立てＡ3 の場合、傘立て本体１７に対応して底板部１８は逆三角錐状になり、その逆頂部Ｔは、平面視におけるほぼ重心位置に設けられる。また、傘立て本体１７に対応して、水受け皿１９も平面視において三角形状となる。そして、第３実施例の傘立てＡ3 の場合、逆頂部Ｔの水平板部２１に設けられた雨水落下孔３は、キャップ体Ｃ1 によって雨水Ｗのみ通過可能に閉塞されている。
【００２４】
キャップ体Ｃ1 について説明する。キャップ体Ｃ1 は、雨水落下孔３が設けられた水平板部２１よりも僅かに小さな方形板状の網板部２２と、該網板部２２の底面部に固着されたずれ止め部２３とから成る。網板部２２の網目は、通常の傘Ｕの石突き部６の外径よりも小さいため、差し込まれた傘Ｕの石突き部６が網板部２２の網目に嵌まり込むおそれはない。また、ずれ止め部２３は、水平板部２１の雨水落下孔３の内径よりも僅かに小さな外径と、前記水平板部２１の厚みよりも少し大きな高さを有する円筒体である。水平板部２１の雨水落下孔３に、キャップ体Ｃ1 のずれ止め部２３が嵌め込まれる。キャップ体Ｃ1 の網板部２２が水平板部２１の上面に当接するため、該キャップ体Ｃ1 が落下することはない。また、キャップ体Ｃ1 のずれ止め部２３が僅かな隙間をもって雨水落下孔３に嵌合されるため、該キャップ体Ｃ1 がずれることはない。これにより、雨水落下孔３が閉塞され、該雨水落下孔３に傘Ｕの石突き部６が嵌まり込むことはない。傘Ｕから滴下した雨水Ｗは、網板部２２の網目からずれ止め部２３の内側空間部を通って落下し、水受け皿１９に収容される。この実施例の傘立てＡ3 の場合、傘立て本体１７の平面形状を直角三角形とすることにより、例えば建物における内側コーナー部に設置する場合に好適である。
【００２５】
上記したキャップ体Ｃ1 は、平板状の網板部２２の下面にずれ止め部２３を固着した形態である。これに対して、図７の（イ）に示されるキャップ体Ｃ2 は、前記キャップ体Ｃ1 の網板部２２の上面に、略半球状に形成した網板（整列部材２４）を固着させた形態である。該キャップ体Ｃ2 の場合、傘立て本体１７に差し込まれて底板部１８を滑り落ちた傘Ｕの石突き部６は、キャップ体Ｃ2 の整列部材２４に当接して停止される。このため、傘立て本体１７に差し込まれた各傘Ｕの石突き部６は、前記整列部材２４の周囲に配置される。即ち、前記整列部材２４は、第１及び第２の各実施例の傘立てＡ1,Ａ2 における滑落体５，１４とほぼ同様な機能を有している。キャップ体Ｃ2 の整列部材２４は略半球状であるが、円錐状又は多角錐状であっても構わない。
【００２６】
また、図７の（ロ）に示されるように、水平板部２１を、底板部１８の最下端面の高さ位置よりも網板部２２の厚み分だけ下方に取付けた場合（換言すれば、底板部１８の下端部と水平板部２１との間に段差部を設けた場合）、キャップ体Ｃ3 は網板部２２のみで済み、ずれ止め部２３がなくてもずれることはない。これにより、キャップ体Ｃ3 の構成が極めて簡単なものになる。
【００２７】
上記した第１ないし第３の各実施例における傘立てＡ1 〜Ａ3 を構成する底板部２，１３，１８の逆頂部Ｔは、平面視における各底板部２，１３，１８のほぼ中央部又は重心位置に設けられている。このため、差し込まれた傘Ｕが放射状に配置され易くなるという利点がある。しかし、図８ないし図１０に示される各実施例の傘立てＡ1'〜Ａ3'のように、各底板部２',１３',１８' の逆頂部Ｔが、前記底板部２',１３',１８' の中央部Ｏ又は重心位置Ｇよりもずれた位置に設けられていても構わない。これらの実施例の場合、各底板部２',１３',１８' の立体形状は、逆斜円錐状又は逆斜多角錐状となる。これらの実施例の傘立てＡ1'〜Ａ3'の場合、差し込まれた傘Ｕが、傘立て本体１，１２，１７の上端縁部において、各逆頂部Ｔから最も離れた部分でもたせ掛けられ易くなる。即ち、傘立てＡ1'〜Ａ3'を、例えば壁際に設置した場合であって、差し込まれた傘Ｕが常に手前側にもたせ掛けられるようにしたい場合に好適である。
【実施例４】
【００２８】
また、図１１に示される第４実施例の傘立てＡ4 のように、傘立て本体２７の平面形状が星形の筒状であり、底板部２８の立体形状が、星形に対応した近似逆錐体状であっても構わない。第４実施例の傘立てＡ4 の底板部２８の逆頂部Ｔは、傘立て本体２７の平面視におけるほぼ中央部に設けられていて、該傘立て本体２７における所定高さ位置の内側部分から逆頂部Ｔまで連続する傾斜状態で取付けられている。底板部２８の逆頂部Ｔに取付けられた滑落体２９は、断面星形の傘立て本体２７に対応して、正五角錐状に設けられていて、底板部２８と滑落体２９の下縁部との間に排水孔３１が形成されている。また、水受け皿３２も、断面星形の傘立て本体２７に配置可能にして設けられている。この実施例の傘立てＡ4 であっても、前述した各実施例の傘立てＡ1 〜Ａ3 と同様な効果が奏される。更に、第４実施例の傘立てＡ4 の場合、差し込まれた傘Ｕは、傘立て本体２７における各突出部２７ａで支持されるため、各傘Ｕが、より放射状に配置され易くなると共に、美感が向上するという利点がある。
【００２９】
上記した各実施例の傘立てＡ1 〜Ａ4 のうち、特に第４実施例の傘立てＡ4 のように、傘立て本体の形状が複雑なものである場合に、底板部を傾斜状態で取付けて排水孔を設けること、及び前記排水孔から排水される雨水が漏れないようにして水受け皿を挿脱可能に配置させることは容易ではない。しかし、底板部が本発明に係る構造となっている場合、即ち、底板部を逆錐体状にしてその逆頂部に排水孔を１箇所にのみ設けた場合、水受け皿を前記逆頂部に対応するようにして配置させれば済み、雨水を確実に排水できると共に、傘立て本体の形状に関係なく水受け皿の形状を簡単なものにすることができる。
【００３０】
上記した第２及び第４の各実施例の傘立てＡ2,Ａ4 を構成する滑落体１４，２９は、底板部１３，２８の形状に対応して多角錐状である。しかし、前記第２及び第４実施例の傘立てＡ2,Ａ4 の場合、第１実施例の傘立てＡ1 の滑落体５と同様に略半球状であっても構わない。
【図面の簡単な説明】
【００３１】
【図１】第１実施例の傘立てＡ1 の全体斜視図である。
【図２】傘立てＡ1 の下部の側面断面図である。
【図３】（イ）は傘立てＡ1 の平面図、（ロ）は図２のＸ−Ｘ線断面図である。
【図４】（イ）は、傘立てＡ1 に複数本の傘Ｕが放射状に配置された状態の平面図であり、（ロ）は（イ）の正面断面図である。
【図５】（イ）は、第２実施例の傘立てＡ2 の内部の状態を示す斜視図であり、（ロ）は、逆頂部Ｔの拡大断面図である。
【図６】第３実施例の傘立てＡ3 の斜視図である。
【図７】（イ）,(ロ）は、別の実施例のキャップ体Ｃ2,Ｃ3 の拡大断面図である。
【図８】（イ）は、逆頂部Ｔが、底板部２’の中央部Ｏからずれて設けられた傘立てＡ1'の概略平面図であり、（ロ）は（イ）の状態の概略斜視図である。
【図９】（イ）は、逆頂部Ｔが、底板部１３’の中央部Ｏからずれて設けられた傘立てＡ2'の概略平面図であり、（ロ）は（イ）の状態の概略斜視図である。
【図１０】（イ）は、逆頂部Ｔが、底板部１８’の重心位置Ｇからずれて設けられた傘立てＡ3'の概略平面図であり、（ロ）は（イ）の状態の概略斜視図である。
【図１１】第４実施例の傘立てＡ4 の内部の状態を示す斜視図である。
【図１２】（イ）,(ロ）は、従来の傘立てＡ’を示す図である。
【符号の説明】
【００３２】
Ａ1 〜Ａ4 ：傘立て
Ｔ：逆頂部
Ｕ：傘
Ｗ：雨水
１，１２，１７，２７：傘立て本体
２，１３，１８，２８：底板部
３：雨水落下孔（開口）
５，１４，２９：滑落体
５ａ：下縁部（滑落体の外周縁）
６：石突き部（先端）
７，１５，３１：排水孔
８，１６，１９，３２：水受け皿
【図１】
2006230872.tif 000003
【図２】
2006230872.tif 000004
【図３】
2006230872.tif 000005
【図４】
2006230872.tif 000006
【図５】
2006230872.tif 000007
【図６】
2006230872.tif 000008
【図７】
2006230872.tif 000009
【図８】
2006230872.tif 000010
【図９】
2006230872.tif 000011
【図１０】
2006230872.tif 000012
【図１１】
2006230872.tif 000013
【図１２】
2006230872.tif 000014